(57)【要約】【課題】断熱性及び熱伝導性に優れる低コスト省施工の床暖房構造を提供する。【解決手段】  ９０９ｍｍ間隔の大引４の上面に根太の高さと同じ厚さを有する杉の無垢材で構成した複数枚の木板１を溝１ａが連通するように且つ大引４と直交するように互いを本実１ｂで接合して敷設し、木板１の上面から釘を大引４に対して打ち付けて固定する。連通した溝１ａに１本の温水パイプ２を配置する。温水パイプ２の始端と終端は木板１の通し穴から床下へ引き出し、図示しないボイラーに配管する。溝１ａに配置した温水パイプ２は熱伝導性テープ３で覆うように固定する。その上面にフローリング５を温水パイプ２と直交する方向に配列して釘打ち施工する。【選択図】  図１
2008082041.tif 000002
【特許請求の範囲】
【請求項１】
根太の高さと同じ厚さを有する木板の上面に温水パイプを配置する溝を形成し、木板の周端に接合用の本実を形成し、大引の上面に複数枚の木板をその溝が連通するように互いを本実で接合して敷設し、各木板の連通した溝に温水パイプを配置し、木板の上面に仕上げ材を施工した、床暖房構造。
【請求項２】
木板の溝に配置した温水パイプを熱伝導性テープで固定した、請求項１記載の床暖房構造。
【請求項３】
木板が杉の無垢材である、請求項１又は２記載の床暖房構造。
【発明の詳細な説明】
【技術分野】
【０００１】
本発明は、戸建住宅に施工される温水式の床暖房に関する。
【背景技術】
【０００２】
従来、戸建住宅に施工される温水式の床暖房が特許文献１に開示されている。この技術は、根太間の間隔幅に形成した発泡体の上面に溝を加工し、溝に温水パイプを配置し、温水パイプを含む発泡体の上面にアルミニウム箔を貼着し、対向する根太の内側面にＬ字金具をそれぞれ取り付け、発泡体を根太間に嵌め込んでＬ字金具で底面を支持し、アルミニウム箔の上面にフローリングを施工したものである。
【０００３】
ところで、前記技術では以下のような問題があった。
１）発泡体は床を支える強度がないから根太を必要とし、根太の施工コストがかかる。
２）発泡体は熱伝導性に劣るから、温水パイプの熱を広面積に伝導させるためにアルミニウム箔等の熱伝導性を有するシート状物を被覆する必要があり、施工コストと材料コストがかかる。
３）根太と発泡体との隙間から床下の冷気が漏れ、断熱性に劣る。
４）発泡体はＬ字金具で固定する方法の他に接着剤で接着することがあり、その場合は接着剤の揮発成分によりシックハウス症候群の原因となる。
【特許文献１】特開平８−１５９４９３号公報
【発明の開示】
【発明が解決しようとする課題】
【０００４】
本発明が解決しようとする課題は、従来のこれらの問題点を解消し、断熱性及び熱伝導性に優れる低コスト省施工の床暖房構造を提供することにある。
【課題を解決するための手段】
【０００５】
かかる課題を解決した本発明の構成は、
１）  根太の高さと同じ厚さを有する木板の上面に温水パイプを配置する溝を形成し、木板の周端に接合用の本実を形成し、大引の上面に複数枚の木板をその溝が連通するように互いを本実で接合して敷設し、各木板の連通した溝に温水パイプを配置し、木板の上面に仕上げ材を施工した、床暖房構造
２）  木板の溝に配置した温水パイプを熱伝導性テープで固定した、前記１）記載の床暖房構造
３）  木板が杉の無垢材である、前記１）又は２）記載の床暖房構造
にある。
【発明の効果】
【０００６】
本発明によれば、以下の効果を奏する。
１）温水パイプを配置する木板が根太の高さと同じ厚さであるから、根太を省略して大引に直貼りでき、省施工となる。また、木板は厚物であるから強固な床構造となる。
２）木板は熱伝導性に優れているから、温水パイプの熱を拡散するためのアルミニウム箔等を全面に貼着する必要がなく、施工コストと材料コストを低減できる。
３）厚物の木板を本実で接合するから隙間を生じることがなく、断熱性に優れる。
４）接着剤は使用せず全て釘打ちで施工できるから、揮発成分がなくシックハウス症候群を防止できる。
５）木板に杉材を用いたものは、発泡体と比較して熱伝導率が３倍程度高く、また保熱に優れるから省電力で暖房できる。
【発明を実施するための最良の形態】
【０００７】
本発明の木板は根太の高さと同じ厚さのものが用いられ、樹種としては断熱性に優れる杉材が望ましいが、杉材以外の材料も使用できる。木板の大きさと溝の形状は様々な種類を用意し、部屋の形状や大きさ、暖房すべき箇所に応じて温水パイプが適所に配置されるように任意に組み合わせできるようにする。
【０００８】
温水パイプとしては架橋ポリエチレン管など熱伝導性に優れるものが用いられる。熱伝導性テープとしてはアルミニウムや銅で構成した金属テープを用い、温水パイプの固定と仕上げ材への熱伝導を兼ねる。仕上げ材としては無垢材や集成材、突板貼り合板を厚さ１２ｍｍや１５ｍｍに加工したフローリングが用いられる。床強度は木板で充分に保持できるから、例えば５ｍｍなど薄物を用いることもできる。以下、本発明の実施例を図面に基づいて具体的に説明する。
【実施例１】
【０００９】
図１は実施例の床暖房構造の一部切り欠き斜視図、図２は実施例の床暖房構造の縦断面図、図３は実施例の木板の種類を示す説明図、図４は材料別室温変動比を示すグラフである。図中、１は木板、１ａは溝、１ｂは本実、１ｃは通し穴、２は温水パイプ、３は熱伝導性テープ、４は大引、５はフローリング、６は壁、Ａはストレートパネル、Ｂはターンパネル、Ｃはスタートパネル、Ｄはエンドターンパネルである。
【００１０】
木板１は杉の無垢材を用い、厚さは一般的な根太の高さと同じ４５ｍｍに製材する。木板１の上面には温水パイプ２を配置する幅及び深さが１３．５ｍｍの溝１ａを加工する。木板１の大きさと溝１ａの形状は図３（ａ）〜（ｄ）に示すように様々な種類を用意し、部屋の形状や大きさ、暖房すべき箇所に応じて温水パイプ２が適所に配置されるように組み合わせる。木板１の周端には接合用の本実１ｂを加工する。
【００１１】
ストレートパネルＡは暖房すべき部分に使用され、寸法は幅１５０ｍｍ、長さ１８２０ｍｍである。ターンパネルＢは壁際など暖房しない部分に使用され、寸法は幅６００ｍｍ、長さ９００ｍｍである。スタートパネルＣは温水パイプ２を床下から通すために使用され、寸法は幅３００ｍｍ、長さ９００ｍｍである。エンドターンパネルＤは温水パイプ２の折り返し部分に使用され、寸法はスタートパネルＣと同じである。
【００１２】
温水パイプ２は外径１３．０ｍｍの架橋ポリエチレン管を用いる。熱伝導性テープ３は幅２０ｍｍほどのアルミニウムテープを用いる。フローリング５は厚さ１５ｍｍ、幅７５ｍｍ、長さ１９５０ｍｍの杉の無垢材を用い、周端に接合用の本実を加工する。
【００１３】
以下、施工について説明する。
１）９０９ｍｍ間隔の大引４の上面に複数枚の木板１を溝１ａが連通するように且つ大引４と直交するように互いを本実１ｂで接合して敷設し、木板１の上面から釘を大引４に対して打ち付けて固定する。
２）連通した溝１ａに１本の温水パイプ２を配置する。温水パイプ２の始端と終端はスタートパネルＣの通し穴１ｃから床下へ引き出し、図示しないボイラーに配管する。
３）溝１ａに配置した温水パイプ２を熱伝導性テープ３で覆うように固定する。
４）フローリング５を温水パイプ２と直交する方向に配列して釘打ち施工する。
【００１４】
図示しないボイラーを作動させて水を所定温度に加温し、その温水を図示しないポンプで温水パイプ２に送り出して循環させる。温水の熱は溝１ａから木板１の上層周囲に行き渡り、上面のフローリング５に熱伝導する。温水パイプ２は往路と復路が隣接することで、流れる温水の温度差を平均化して温度ムラが低減される。温水パイプ２を固定する熱伝導性テープ３も温水の熱をフローリング５に確実に伝えて温度ムラを抑制する。
【００１５】
床下の冷気は厚物の木板１で確実に断熱して優れた暖房効果を発揮する。図４に示すように杉材は断熱効果が土壁より優れており、床暖房に最適な材料であることがわかる。また、表１に示すように熱伝導率もフォームポリスチレン（従来の発泡体）より３倍程度高く、優れた保熱性と相まって省電力の床暖房構造となる。
【００１６】
【表１】
2008082041.tif 000003
【産業上の利用可能性】
【００１７】
本発明の床暖房構造は戸建住宅に利用される。
【図面の簡単な説明】
【００１８】
【図１】実施例の床暖房構造の一部切り欠き斜視図である。
【図２】実施例の床暖房構造の縦断面図である。
【図３】実施例の木板の種類を示す説明図である。
【図４】材料別室温変動比を示すグラフである。
【符号の説明】
【００１９】
１  木板
１ａ  溝
１ｂ  本実
１ｃ  通し穴
２  温水パイプ
３  熱伝導性テープ
４  大引
５  フローリング
６  壁
Ａ  ストレートパネル
Ｂ  ターンパネル
Ｃ  スタートパネル
Ｄ  エンドターンパネル
【図１】
2008082041.tif 000004
【図２】
2008082041.tif 000005
【図３】
2008082041.tif 000006
【図４】
2008082041.tif 000007